(57)【特許請求の範囲】
【請求項１】
軸線が窓枠サッシの上框にほぼ平行に配設されるファンモータと、このファンモータとほぼＬ字状の流路を形成したダクトを介して連通する室内側開口と、室外に連通する室外側開口とを設けた本体を備え、排気が前記室内側開口から前記軸線方向とほぼ直角方向に吸気され、前記軸線方向に流れたのち、前記室外側開口から前記軸線方向とほぼ直角方向に排気される排気流路を形成した前記本体を前記窓枠サッシの上框に組み込む構成とした窓枠サッシ用換気扇。
【請求項２】
室内側開口を開閉するシャッターを設けた請求項１記載の窓枠サッシ用換気扇。
【請求項３】
シャッターを開閉する電気的開閉手段を設けた請求項２記載の窓枠サッシ用換気扇。
【請求項４】
ファンモータの運転・停止およびシャッターの開閉を、制御手段を介して行う構成とした請求項２または３記載の窓枠サッシ用換気扇。
【発明の詳細な説明】
【０００１】
【発明の属する技術分野】
本発明は、一般家庭等に広く使用される窓枠サッシの上框に組み込まれる窓枠サッシ用換気扇に関する。
【０００２】
【従来の技術】
近年、室内の居住域を冷暖房して環境の良化を図るために、気密性を高めることのできる窓枠サッシを用いた窓が普及されるに伴い、室内の汚染空気を換気する必要が生じ、騒音を緩和し効率良く換気できる窓枠サッシを利用した窓枠サッシ用換気扇の要求が高まってきている。
【０００３】
従来、この種の窓枠サッシ用換気扇として図５に示すものが知られていた。以下、その構成について図５を参照しながら説明する。
【０００４】
図に示すように、ガラス窓１０１を横動自在に設けた窓枠サッシ１０２の上部側に窓幅に沿い広い幅に形成され、設けられる上框１０３に、空気の流れが羽根を横切って流れる形状で長さを長く形成した横流ファン１０４と、横流ファン１０４の空気流を形成するケーシング１０５とからなる送風機１０６を組み込んでいた。
【０００５】
そして、送風機１０６を運転すると矢印で示すように室内の空気を横流ファン１０４により室外に排出していた。
【０００６】
【発明が解決しようとする課題】
このような従来の窓枠サッシ用換気扇では、送風機１０６に用いられるファンは横流ファン１０４であるため、その特性から密閉度の高いところで使用した場合には、換気により室内が負圧になるに伴い、横流ファン１０４は空転して所定の換気量が得られないという課題があった。
【０００７】
また、空気流路１０７がほぼ直線状であるため、横流ファン１０４の発生音や室外の騒音が室内に伝播されやすいという課題があった。
【０００８】
また、長い横流ファン１０４を使用するため空気流路１０７を形成する室内側開口１０８および室外側開口１０９が大きくなり、運転の停止時には虫類が室内に侵入しやすいという課題があった。
【０００９】
本発明は、上記課題を解決するもので、換気効率の低下を防止できるとともに、騒音の低減を図ることができ、また、室内への虫類の侵入を防止できる窓枠サッシ用換気扇を提供することを目的とする。
【００１０】
【課題を解決するための手段】
本発明の窓枠サッシ用換気扇においては、軸線が窓枠サッシの上框にほぼ平行に配設されるファンモータと、このファンモータとダクトを介して連通する室内側開口とを設けた本体とを備え、前記本体を室外側開口を設けた前記窓枠サッシの上框に組み込む構成としたものである。
【００１１】
この本発明によれば、換気効率の低下を防止できるとともに、騒音の低減を図ることのできる窓枠サッシ用換気扇を提供することができる。
【００１２】
【発明の実施の形態】
本発明の請求項１に記載の発明は、軸線が窓枠サッシの上框にほぼ平行に配設されるファンモータと、このファンモータとほぼＬ字状の流路を形成したダクトを介して連通する室内側開口と、室外に連通する室外側開口とを設けた本体を備え、排気が前記室内側開口から前記軸線方向とほぼ直角方向に吸気され、前記軸線方向に流れたのち、前記室外側開口から前記軸線方向とほぼ直角方向に排気される排気流路を形成した前記本体を前記窓枠サッシの上框に組み込む構成としたものであり、軸線が窓枠サッシの上框に平行に配設されるファンモータを設けることにより、ファンとして軸流ファンおよび遠心ファンを使用することができ、室内側開口からダクトを介してファンモータに吸気された空気は室外側開口から排気されることとなるので、空気流路はほぼＳ字状に形成され、換気効率の低下を防止できるとともに騒音の低減を図ることができるという作用を有する。
【００１３】
以下、本発明の実施の形態について、図１〜図４を参照しながら説明する。
【００１４】
（実施の形態１）
図１〜図３に示すように、室外側開口１を設けた窓枠サッシの上框２に取り付けられる形状で、室内側開口３を形成した平板状フレーム４と、このフレーム４の内方側に軸線が上框２とほぼ平行に配設されるように、軸流ファン５を設けたファンモータ６とを設け、ファンモータ６と室内側開口３を連通するほぼＬ字状のダクト７とを設けて本体８を形成する。
【００１５】
そして、本体８には電気的にシャッター９を開閉するソレノイド等からなる電気的開閉手段１０を設け、本体８のフレーム４に形成した爪１１に着脱自在に係合するルーバー１２の通気口１３の内方側には、本体８に設けた電気的開閉手段１０と係合し、ファンモータ６の運転・停止と連動して動作するシャッターユニット１４を設け構成する。
【００１６】
上記構成において、本体８のファンモータ６およびダクト７を上框２に設けた取付開口１５より上框２内に嵌挿し、本体８のフレーム４を上框２に取り付け、フレーム４にルーバー１２を爪１１を介して組み立てたのち運転すると、ファンモータ６が駆動するとともに、シャッター９が電気的開閉手段１０を介して開放され、室内側空気が、ルーバー１２の通気口１３よりシャッター９間を通り、室内側開口３よりダクト７内に吸い込まれ、ファンモータ６により空気はファンモータ６の軸線方向に流れて上框２内に放散され、上框２に設けた室外側開口１より室外に放出されて排気が行われることとなる。
【００１７】
このとき、排気の空気流は室内側開口３を通るときには軸線方向に設けたファンモータ６とほぼ直角方向から吸気され、ファンモータ６により軸線方向に流れたのち、ほぼ直角方向の室外側開口１より排気されるように流れ、全体の流れとしてほぼＳ字状に流れることとなる。
【００１８】
そして、運転・停止時には、ファンモータ６と連動してシャッター９が開閉されることとなる。
【００１９】
また、図３に示すように、シャッター９Ａを本体８Ａの室内側開口３に設け、連結棒１５を介して電気的開閉手段１０Ａを設けても、上記同様の作用効果をもたらすものである。
【００２０】
このように本発明の窓枠サッシ用換気扇によれば、軸線が窓枠サッシの上框２にほぼ平行に配設される軸流ファン５を設けたファンモータ６と、ダクト７を介して連通する室内側開口３を設けた本体８を、室内側開口１を設けた上框２に組み込む構成としたもので、ファンモータ６の運転により軸線方向とほぼ直角方向となる室内側開口３よりダクト７を介してファンモータ６に吸い込まれ、ファンモータ６から直角方向に放散されて室外側開口１より排気される空気流路が形成されることにより、横流ファンに比較して負圧に強い軸流ファン５を使用することができ、負圧時の換気効率が低下するのが防止されるとともに、空気流路がほぼＳ字状に形成されるとともに軸流ファン５が室内側開口３より遠ざかることにより、ファンモータ６の発生する騒音および室外から流入する騒音が空気流路の壁部に衝突して軽減され、騒音を低減することが可能となる。
【００２１】
また、室内側開口３を開閉するシャッター９を設けたので、ファンモータ６の運転の停止時には、室内側開口３がシャッター９により閉鎖され、虫類等が室内に侵入することが防止できる。
【００２２】
また、シャッター９を開閉する電気的開閉手段１０を設けたので、ファンモータ６の運転・停止と連動することができ、使い勝手を向上させることができる。
【００２３】
なお、実施の形態１では室内側開口３を吸気口として説明したが、ファンモータ６を反転することにより室外側開口１より吸気して室内側開口１より排気するように給気用の換気扇として使用できることはいうまでもない。
【００２４】
また、ファンモータ６に用いるファンとして軸流ファン５を用いたが、負圧に強い遠心ファンを用いても良いことはいうまでもない。
【００２５】
（実施の形態２）
図４に示すように、ファンモータ６の運転・停止およびシャッター９の開閉を、設置場所の室内の雰囲気を検知したり、人の有無を検知したりして制御する制御手段１６を介して行う構成とするもので、トイレに設置する窓枠サッシ用換気扇には、トイレに入退する人を検知する人感センサー（図示せず）の検知信号に基づきファンモータ６の運転・停止およびシャッター９の開閉を制御するように制御手段１６を設ける。
【００２６】
また、洗面所等に設置する窓枠サッシ用換気扇には、洗顔時に発生する湿気を検知する湿度センサー（図示せず）の検知信号に基づきファンモータ６の運転・停止およびシャッター９の開閉を制御するように制御手段１６を設ける。
【００２７】
また、階段やホール等に設置する窓枠サッシ用換気扇には、暖気を検知する温度センサー（図示せず）の検知信号に基づいてファンモータ６の運転・停止およびシャッター９の開閉を制御するように制御手段１６を設ける。
【００２８】
上記構成において、窓枠サッシ用換気扇を設置するときには、設置場所がトイレの場合には、人感センサーの検知信号に基づいて制御する制御手段１６を設けたものを使用し、人がトイレに入退する状態に対応して運転するようにする。
【００２９】
また、設置場所が洗面所の場合には、湿度センサーの検知信号に基づいて制御する制御手段１６を設けたものを使用し、洗顔時に発生する湿気の状態に対応して運転するようにする。
【００３０】
また、設置場所が階段やホールの場合には、温度センサーの検知信号に基づき制御する制御手段１６を設けたものを使用し、夏期の居室以外のエリアの熱気を排出するようにする。
【００３１】
このように本発明の窓枠サッシ用換気扇によれば、ファンモータ６の運転・停止およびシャッター９の開閉を設置場所の室内の雰囲気を検知して制御する制御手段１６を介して行う構成としたので、設置場所がトイレまたは、洗面所または階段・ホール等である場合には、人感センサー、または湿度センサー、または温度センサーの検知信号に基づいて設置場所の環境に対応した窓枠サッシ用換気扇を設置することができ、効率の良い換気、または結露の発生やかびの生成の防止、または室内環境の良化を図ることができることとなる。
【００３２】
【発明の効果】
以上の実施例から明らかなように本発明によれば、軸線が窓枠サッシの上框にほぼ平行に配設されるファンモータと、このファンモータとほぼＬ字状の流路を形成したダクトを介して連通する室内側開口と、室外に連通する室外側開口とを設けた本体を備え、排気が前記室内側開口から前記軸線方向とほぼ直角方向に吸気され、前記軸線方向に流れたのち、前記室外側開口から前記軸線方向とほぼ直角方向に排気される排気流路を形成した前記本体を前記窓枠サッシの上框に組み込む構成としたので、換気効率の低下を防止できるとともに、騒音の低減を図ることのできる窓枠サッシ用換気扇を提供できる。
【００３３】
また、室内側開口を開閉するシャッターを設けたので、虫類等が室内に侵入することが防止できる。
【００３４】
また、シャッターを開閉する電気的開閉手段を設けたので、使い勝手を向上させることができる。
【００３５】
また、ファンモータの運転・停止およびシャターの開閉を制御手段を介して行う構成としたので、設置場所の環境に対応した窓枠サッシ用換気扇を設置することができる。
【図面の簡単な説明】
【図１】本発明の実施の形態１の窓枠サッシ用換気扇の構成を示す分解斜視図
【図２】同窓枠サッシ用換気扇の構成を示す一部破断した斜視図
【図３】同窓枠サッシ用換気扇の他の構成を示す一部破断した斜視図
【図４】本発明の実施の形態２の窓枠サッシ用換気扇の構成を示す一部破断した斜視図
【図５】従来の窓枠サッシ用換気扇の放置状態の構成を示す断面図
【符号の説明】
１            室外側開口
２            上框
３            室内側開口
６            ファンモータ
７            ダクト
８            本体
８Ａ        本体
９            シャッター
９Ａ        シャッター
１０        電気的開閉手段
１０Ａ  電気的開閉手段
１６        制御手段
【図１】
0003633798.tif 000002
【図２】
0003633798.tif 000003
【図３】
0003633798.tif 000004
【図４】
0003633798.tif 000005
【図５】
0003633798.tif 000006